(57)【要約】【課題】清掃具であるスクレーパと固定シーブ板との間に枝梗が入り込む程度の隙間を設けることによって、スクレーパの左右往復移動により枝梗と籾を分離し、選別性能の向上を図る。【解決手段】脱穀部（１）からの脱穀処理物を受け入れて揺動選別する揺動選別棚（１５）のシーブ（１７）にあって、前後方向に平行で左右方向所定間隔置きに配設したプレート（２８）と各シーブ板（２６）面上の付着物を除去するスクレーパ（２９）とからなる清掃具（３０）を備え、シーブ板（２６）に対して左右横方向へ往復移動可能に構成すると共に、シーブ板（２６）とスクレーパ（２９）との間には枝梗が入り込む程度の隙間（Ｌ）を設ける。【選択図】      図６
2011244742.tif 000002
【特許請求の範囲】
【請求項１】
脱穀部（１）からの脱穀処理物を受け入れて揺動選別する揺動選別棚（１５）のシーブ（１７）に、前後方向に平行で左右方向所定間隔置きに配設したプレート（２８）と各シーブ板（２６）面上の付着物を除去するスクレーパ（２９）とからなる複数の清掃具（３０）を設け、該清掃具（３０）をシーブ板（２６）に対して左右方向へ往復移動可能に取り付けると共に、該シーブ板（２６）とスクレーパ（２９）との間には脱穀処理物中の枝梗が入り込む程度の隙間（Ｌ）を設けたことを特徴とする脱穀機の揺動選別装置。
【請求項２】
前記スクレーパ（２９）の後端側には、各シーブ板（２６）の上端側を後向きに折曲形成した後向き案内片（２６ａ）の上面に沿って左右方向に摺接移動するサブスクレーパ（２９Ａ）を一体的に設けたことを特徴とする請求項１記載の脱穀機の揺動選別装置。
【請求項３】
前記スクレーパ（２９）は、プレート（２８）を挟んで左右対称に形成すると共に、移動方向に対してシーブ板（２６）面上の付着物を下方に向けて削ぎ落とす方向に傾斜する傾斜角（θ１）を有する傾斜刃縁（２９ｓ）を形設したことを特徴とする請求項１又は請求項２記載の脱穀機の揺動選別装置。
【請求項４】
前記サブスクレーパ（２９Ａ）は、移動方向に対して後向き案内片（２６ａ）上面の付着物を下方に向けて削ぎ落とす方向に傾斜する傾斜角（θ２）をもつ傾斜刃縁（２９ｓ）を形成したことを特徴とする請求項１又は請求項２又は請求項３記載の脱穀機の揺動選別装置。
【請求項５】
前記スクレーパ（２９）の上面を平坦面（２９ｆ）としたことを特徴とする請求項１又は請求項２又は請求項３又は請求項４記載の脱穀機の揺動選別装置。
【発明の詳細な説明】
【技術分野】
【０００１】
この発明は、脱穀処理された処理物を受け入れて揺動選別する脱穀機の揺動選別装置に関する。
【背景技術】
【０００２】
従来、脱穀処理物を受け入れて揺動選別する揺動選別棚には、シーブに付着した藁屑を除去する清掃装置を備えた構成のものが知られている（例えば、特許文献１参照）
【先行技術文献】
【特許文献】
【０００３】
【特許文献１】特開２００９−１００６７１号公報
【発明の概要】
【発明が解決しようとする課題】
【０００４】
上述の従来技術では、単なる平板状のプレートを横移動させることによってシーブ上面の付着物を除去しようとするものであり、付着物の充分な除去作用並びに藁屑の充分な分散効果が期待できない。
【課題を解決するための手段】
【０００５】
この発明は、上記課題を解決すべく次のような技術的手段を講じた。
即ち、請求項１記載の発明は、脱穀部（１）からの脱穀処理物を受け入れて揺動選別する揺動選別棚（１５）のシーブ（１７）に、前後方向に平行で左右方向所定間隔置きに配設したプレート（２８）と各シーブ板（２６）面上の付着物を除去するスクレーパ（２９）とからなる複数の清掃具（３０）を設け、該清掃具（３０）をシーブ板（２６）に対して左右方向へ往復移動可能に取り付けると共に、該シーブ板（２６）とスクレーパ（２９）との間には脱穀処理物中の枝梗が入り込む程度の隙間（Ｌ）を設けたことを特徴とする脱穀機の揺動選別装置とした。
【０００６】
複数の清掃具（３０）が左右に往復動することで、狭い移動範囲でもって藁屑の除去作用が効果的に行え、スクレーパ（２９）の作用によってシーブ板（２６）面に付着する藁屑などの付着物を的確に除去することができる。
【０００７】
また、清掃具（３０）を速いスピードで往復動させれば、脱穀処理物の分散効果が高まり、長い藁屑などは後方に送られ、穀粒や短い藁屑などは各シーブ板（２６）の間から下方に篩い落される。
【０００８】
特に、各シーブ板（２６）の面とスクレーパ（２９）との間には、枝梗が入り込む程度の隙間が設けられているので、スクレーパ（２９）の往復作動により、籾の付いた枝梗がその隙間に入り込むときに脱粒され、籾と枝梗との分離が確実に行える。
【０００９】
請求項２記載の発明は、前記スクレーパ（２９）の後端側には、各シーブ板（２６）の上端側を後向きに折曲形成した後向き案内片（２６ａ）の上面に沿って左右方向に摺接移動するサブスクレーパ（２９Ａ）を一体的に設けたことを特徴とする請求項１記載の脱穀機の揺動選別装置とした。
【００１０】
各シーブ板（２６）の上端側の後向き案内片（２６ａ）によって、シーブ板とシーブ板との間からの処理物の漏下を制限し、長藁の混入を抑制しながら篩い選別を良好に保持するものであるが、この後向き案内片（２６ａ）の上面に沿ってもサブスクレーパ（２９Ａ）が作動するので、案内片上面の付着物を確実に除去することができる。
【００１１】
請求項３記載の発明は、前記スクレーパ（２９）は、プレート（２８）を挟んで左右対称に形成すると共に、移動方向に対してシーブ板（２６）面上の付着物を下方に向けて削ぎ落とす方向に傾斜する傾斜角（θ１）を有する傾斜刃縁（２９ｓ）を形設したことを特徴とする請求項１又は請求項２記載の脱穀機の揺動選別装置とした。
【００１２】
スクレーパ（２９）は、横方向への移動に伴い傾斜刃縁（２９ｓ）によって各シーブ面上の付着物が下方に向けて削ぎ落される。各シーブ板間を漏下しない長い藁屑などは、下方に落下することなく浮上しながら選別棚の揺動方向後方側へ順次押し流されて行く。
【００１３】
請求項４記載の発明は、前記サブスクレーパ（２９Ａ）は、移動方向に対して後向き案内片（２６ａ）上面の付着物を下方に向けて削ぎ落とす方向に傾斜する傾斜角（θ２）をもつ傾斜刃縁（２９ｓ）を形成したことを特徴とする請求項１又は請求項２又は請求項３記載の脱穀機の揺動選別装置とした。
【００１４】
後向き案内片（２６ａ）の上面に付着する付着物は、左右に往復動するサブスクレーパ（２９Ａ）の傾斜刃縁（２９ｓ）によって下方に向けて削ぎ落される。
請求項５記載の発明は、前記スクレーパ（２９）の上面を平坦面（２９ｆ）としたことを特徴とする請求項１又は請求項２又は請求項３又は請求項４記載の脱穀機の揺動選別装置とした。
【００１５】
スクレーパ（２９）の上面が平坦面となっているので、処理物の引っ掛りや過度の送り抵抗を受けることがなく、後方への流れがスムーズに行える。
【発明の効果】
【００１６】
請求項１記載の発明によると、複数の清掃具（３０）が一体的に左右に往復動するので、狭い移動範囲でもって藁屑の除去を行うことができ、スクレーパ（２９）の作用によってシーブ（１７）面に付着する藁屑などの付着物を的確に除去することができる。また、清掃具（３０）は、速いスピードで往復動させれば、藁屑を広く分散させる働きが期待でき、以後の篩い選別を効果的に行わせることができる。
【００１７】
特に、各シーブ板（２６）の上面とスクレーパ（２９）との間には、脱穀処理物中の枝梗が入り込む程度の隙間が設けられているので、スクレーパ（２９）の作動により、籾と枝梗との分離が確実に行え、処理物の単粒化によって選別性能の向上が図れる。
【００１８】
請求項２記載の発明によると、上記請求項１記載の発明の効果を奏するものでありながら、各シーブ板（２６）の上端側には、後向きに折り曲げた後向き案内片（２６ａ）が形成されるので、処理物の漏下が制限され、長藁の混入を抑制しながら篩い選別を良好に保持することができるものであるが、この後向き案内片（２６ａ）の上面に沿ってもサブスクレーパ（２９Ａ）が作用するので、後向き案内片（２６ａ）上面での藁屑の付着を防止することができる。
【００１９】
請求項３記載の発明によると、請求項１又は請求項２記載の発明の効果に加えて、左右対称に形成されたスクレーパ（２９）の傾斜刃縁（２９ｓ）は、シーブ板（２６）面上の付着物を下方に向けて削ぎ落とす方向に傾斜しているので、各シーブ板（２６）面上の付着物を確実に下方へ削ぎ落とすことができる。
【００２０】
請求項４記載の発明によると、上記請求項１又は請求項２又は請求項３記載の発明の効果を奏するものでありながら、後向き案内片（２６ａ）の上面に付着する付着物は、左右に往復動するサブスクレーパ（２９Ａ）の傾斜刃縁（２９ｓ）によって確実に削ぎ落とすことができる。
【００２１】
請求項５記載の発明によれば、請求項１又は請求項２又は請求項３又は請求項４記載の発明の効果に加えて、スクレーパ（２９）の上面が平坦面となっているので、処理物の引っ掛りや過度の送り抵抗を受けることがなく、後方への流れがスムーズに行え、選別性能を高めることができる。
【図面の簡単な説明】
【００２２】
【図１】脱穀機の側断面図
【図２】同上要部の正断面図
【図３】同上要部の正断面図
【図４】脱穀機の要部の側断面図
【図５】同上要部の横断平面図
【図６】拡散清掃具の側面図
【図７】拡散清掃具の要部の平面図
【図８】同上正面図
【図９】拡散清掃具の要部の平面図
【図１０】拡散清掃具の斜視図
【図１１】従来例における最短縮状態（イ）、最伸長状態（ロ）を示すズームオーガの一部破断せる側面図
【図１２】本実施例における最短縮状態（Ａ）、最伸長状態（Ｂ）を示すズームオーガの一部破断せる側面図
【図１３】本実施例における最短縮状態（Ａ２），（Ａ３）を示すズームオーガの一部破断せる側面図
【発明を実施するための形態】
【００２３】
この発明の実施例を図面に基づき説明する。
図１、図２及び図３に示す脱穀機（脱穀部）は、次のような構成になっている。
すなわち、脱穀部１は、扱室２の一側に張設された脱穀フィードチェン４により株元を挟持しながら搬送される穀稈の穂先部を扱室２内で駆動回転する扱胴３により脱穀処理するよう構成している。扱室２の下半周部には受網５が張設され、扱胴３の上部を覆う扱胴カバー６は、扱室の一側を支点として揺動開閉する構成である。扱室２のフィードチェン４側とは反対側には、２番螺旋２４及び扱室からの２番処理物を受け入れて脱粒処理する２番処理胴７が扱胴３と平行して２番処理室８内に軸架されている。また、２番処理胴７の後方にはこれと同一軸芯上において排塵処理胴１０が排塵処理室９内に架設されている。なお、前記扱室２は、前側板２ａと中側板２ｂ，２ｃとの間に構成され、扱室終端の排塵口１１は中側板２ｂと２ｃとの間に形成されている。そして、扱胴３を前記排塵口１１より後方に延長して中側板２ｃと後側板２ｄとの間にささり粒回収室１２を構成している。
【００２４】
扱室下方の揺動選別装置（揺動選別棚）１５は、脱穀処理後の処理物を受け入れて揺動移送しながら篩い選別する構成であり、選別方向上手側から移送棚１６、第一シーブ１７ａ、第２シーブ１７ｂ、ストロ−ラック１９の順に配置し、且つ、前記第２シーブ１７ｂの下方に選別網２０、１番戻し棚２１ａ、２番戻し棚２１ｂを配置して設けた構成としている。
【００２５】
また、揺動選別棚１５の下方には選別方向の上手側から順に、唐箕２２と、１番螺旋２３、２番螺旋２４と、その上方に排塵ファン２５を設けて排塵選別室を構成している。
前記第一シーブ１７ａは、前記ささり粒回収室１２より前方に配置され前後方向に所定間隔を開けて上下方向に傾斜する固定状態の固定シーブ板２６からなり、第２シーブ１７ｂは、第一シーブ１７ａからの処理物及びささり粒回収室１３からの処理物を受け入れて篩い選別するように構成され、傾斜角変更自在な可動シーブ板２７からなる。固定シーブ板２６には上端側に後向きに折り曲げた後向き案内片２６ａが形成され、可動シーブ板２７には下端側に前向きに折り曲げた前向き案内片２７ａが形成されている。
【００２６】
第一シーブ１７ａには、前後方向に平行で左右方向所定間隔置きに配設した拡散プレート（プレート）２８と、各固定シーブ板２６の表面に付着する藁屑などの付着物を除去するシーブスクレーパ（スクレーパ）２９とからなる複数個の拡散清掃具（清掃具）３０，３０，３０…を備えている。これら拡散清掃具３０，３０，３０…は、前後の連結部材３１,３１と左右の補強部材３２，３２とによって一体的に連結保持され、チャフシーブ１７に対して左右横方向（固定シーブ板２６の長手方向）に往復動自在に支持されている。
【００２７】
拡散プレート２８は、上下方向垂直状に立設してあり、そして、各プレート２８には固定シーブ２６の断面形状に合わせたガイド穴３３を穿設し、各ガイド穴３３に各固定シーブ２６を挿通してスライド案内する構成としている。
【００２８】
シーブスクレーパ２９は、上下方向に傾斜する固定シーブ２６の傾斜上面すれすれに接近して左右横移動により付着物を除去するものであり、また、このシーブスクレーパ２９は、拡散プレート２８を挟んで左右対称形とし、移動方向に対してシーブ板面上の付着物を下方に向けて落とし込む方向（削ぎ落とす方向）に傾斜する傾斜角θ１をもつ平面視略ハの字型の傾斜刃縁２９ｓ，２９ｓを有した形状とすることで、左右の往復動に対する付着物の除去が容易且つ確実に行えるようにしている。また、このスクレーパの傾斜刃縁２９ｓ，２９ｓとシーブ板２６面との間には籾付の枝梗が入り込む程度の隙間Ｌを設けた構成としている。
【００２９】
シーブスクレーパ２９の後端側には、固定シーブ板２６の後向き案内片２６ａ上面の付着物を除去するサブスクレーパ２９Ａが設けられ、シーブスクレーパ２９と一体的に横移動する構成であり、また、このサブスクレーパ２９Ａは、シーブスクレーパ２９の傾斜刃縁と同様に、移動方向に対して後向き案内片２６ａ上面の付着物を下方に向けて落とし込む方向に傾斜する傾斜角θ２をもつ傾斜刃縁２９ｓ，２９ｓを有した構成としている。また、サブスクレーパ２９Ａの傾斜刃縁２９ｓとシーブ板２６の後向き案内片２６ａ上面との間にも枝梗が入り込む程度の隙間Ｌを設けた構成としている。
【００３０】
また、シーブスクレーパ２９の上面は、なだらかな平坦面２９ｆとし、拡散プレート２８の上面と同一平面内に構成されている。これにより、藁屑の引っ掛りがなくなり、後方への送り作用が阻害されず、藁屑の流れがスムースに行える。シーブスクレーパ２９の上面と固定シーブ板２６上面との高低差Ｈ（図２参照）をできるだけ小さくすることによって、藁屑が引っ掛りにくくなると共に、処理物の仕切効果を小さくすることができる。
【００３１】
また、各拡散清掃具３０は、駆動モータ３４の回転駆動により、互い違いに引き操作する一対の操作ケーブル３７ａ，３７ｂ、往復回動する天秤アーム３８、天秤アーム軸３９、往復回動する揺動アーム４０等の連動機構を介して左右横方向に往復動すべく連動構成している。
【００３２】
駆動モータの駆動により、一対の操作ケーブル３７ａ，３７ｂ  が互い違いに引き操作され、天秤アーム３８の往復回動によって天秤アーム軸３９を回動中心として揺動アーム４０が左右に往復揺動するようになっている。そして、この揺動アーム４０に連結ピン４１及び長孔４２を介して連結された拡散清掃具３０が左右横方向へ強制的に往復動されるようになっている。
【００３３】
また、揺動アーム４０部は、移送棚１６の下方で唐箕風洞２２ａの上方後方部の空間部に設けることで、揺動棚部の死角部を有効に利用でき、コンパクトに配置構成することができる。天秤アーム３８や操作ケーブル３７においても移送棚１６と唐箕風洞２２ａとの間に配置した構成としている。又、操作ケーブル３７においては、唐箕２２前側の前枠板４４に設けた切欠穴４５から前方に取り出すようにしてあり、唐箕２２の風洞２２ａ前面には吸気口４６を設けることによって処理物が切欠穴４５から吹き出ないように吸塵作用をもたらした構成としている。
【００３４】
扱室の受網及び２番還元口からの処理物を受け入れる移送棚１６上にあって、この移送棚上に落下する処理物を２番処理胴７側一側から第一シーブ１７ａの始端側中央位置まで寄せながら案内する寄せ案内板４７が設けられている。この寄せ案内板４７の側部近傍には、該寄せ案内板に対してこれと直交する方向に軸架した回動軸４８に層厚センサ５０のセンサフロート４９を軸着して設け、寄せ案内板４７に沿って流れる処理物量に応じてセンサフロート４９が上下に揺動変位するよう構成している。層厚センサ５０は、寄せ案内板４７に沿って流れる処理物の層厚を感知する構成であるため、処理物量の感知精度が安定し正確に感知することができる。
【００３５】
拡散清掃具３０の作動（揺動）速度は、移送棚１６上における処理物量を感知する層厚センサ４７の感知量に応じて可変制御するように構成することができる。処理物が多い時は、拡散清掃具の作動速度を速くし、少ない時は拡散清掃具を遅く作動させて処理速度を適正化するようにしている。
【００３６】
要するに、処理物量の多少に応じて拡散清掃具の作動速度を変更し、多い時には高速に作動させることで、分散効果を高め、シーブ上の付着物を確実に除去することができる。
図１１は、分割螺旋を複数個内装した伸縮式の穀粒排出オーガの従来例を示すもので、最短縮状態（イ）では最大一杯まで完全に短縮させる構成であり、最伸長状態（ロ）では最大一杯まで完全に伸長させる構成である。かかる従来例によると、伸縮オーガの最伸長時に穀粒の排出途中で排出クラッチを切って、オーガを縮小する時、オーガ筒内に残留する穀粒圧によって電動駆動系に過負荷が生じ、無理に駆動すると穀粒の損傷を招いたり、伸縮螺旋が破損したりする問題があった。
【００３７】
そこで、本例では、図１２に示すように、数個の分割螺旋体５１…を角軸５２の軸芯方向に摺動させて螺旋間隔を広くしたり狭くしたりして長さを伸縮する伸縮オーガ５３において、この伸縮オーガ５３を最大伸ばした長さ以下と、最大圧縮した長さ以上の範囲を作用範囲とし、また、最伸長時に穀粒の排出途中で排出クラッチを切った場合の残留穀粒体積が最短縮時のオーガ筒５４内の螺旋体５１と角軸５２を除いた容積の半分以下になるようにオーガの伸縮量を設定した構成としている。従って、最大伸ばした長さ以下を最大伸び長さとすること、及び最大圧縮した長さ以上の最大長さとすることで、電動駆動系に過負荷が生じることがなくなる。また、最伸長時に穀粒の排出途中で排出クラッチを切った場合の残留穀粒体積が最短縮時のオーガ筒内の容積の半分以下になるようにオーガの伸縮量を設定することで、最伸長時に穀粒の排出途中で排出クラッチを切って、オーガを縮めた時に最短縮状態まで縮むため、穀粒の損傷やズーム螺旋の破損がなくなる。
【００３８】
なお、ズームオーガの最短縮時における螺旋間隔の縮小手段としては、図１２（Ａ）のように、螺旋間隔の狭い部分を搬送方向下手側に集中させたり、図１３（Ａ２）のように、螺旋間隔の狭い部分を上手側に集中させたり、また、図１３（Ａ３）のように、すべて均等間隔に縮小させる手段が考えられるが、いずれの手段を採用するものであってもよい。
【符号の説明】
【００３９】
１    脱穀部
１５    揺動選別棚
１７    第１チャフシーブ    
２６    固定シーブ板
２６ａ  後向き案内片
２８    拡散プレート（プレート）
２９    シーブスクレーパ（スクレーパ）
２９Ａ  サブスクレーパ
２９ｓ  傾斜刃縁
２９ｆ  平坦面
３０    拡散清掃具（清掃具）
Ｌ    隙間
【図１】
2011244742.tif 000003
【図２】
2011244742.tif 000004
【図３】
2011244742.tif 000005
【図４】
2011244742.tif 000006
【図５】
2011244742.tif 000007
【図６】
2011244742.tif 000008
【図７】
2011244742.tif 000009
【図８】
2011244742.tif 000010
【図９】
2011244742.tif 000011
【図１０】
2011244742.tif 000012
【図１１】
2011244742.tif 000013
【図１２】
2011244742.tif 000014
【図１３】
2011244742.tif 000015